(57)【要約】  カーシェアリング管理装置は、カーシェアリング用の対象車の利用に関する車両利用情報と、前記対象車を駐車する駐車場エリアの利用に関する駐車場利用情報とに基づき、前記駐車場エリアの混雑状況を求める混雑状況演算部と、前記混雑状況演算部が求めた前記混雑状況に基づき、現在もしくは将来において、１つ以上の空きスペースを確保できないもしくは確保できない可能性の高い駐車場エリアが存在するか否かを判定する空きスペース判定部と、を備える。
2015050242.tif 000002
【特許請求の範囲】
【請求項１】
カーシェアリング用の対象車の利用に関する車両利用情報と、前記対象車を駐車する駐車場エリアの利用に関する駐車場利用情報とに基づき、前記駐車場エリアの混雑状況を求める混雑状況演算部と、
前記混雑状況演算部が求めた前記混雑状況に基づき、現在もしくは将来において、１つ以上の空きスペースを確保できないもしくは確保できない可能性の高い駐車場エリアが存在するか否かを判定する空きスペース判定部と、
を備えるカーシェアリング管理装置。
【請求項２】
前記カーシェアリング管理装置は、
前記空きスペース判定部により、前記空きスペースが確保できないと判定された前記駐車場エリアの利用を促進するための利用促進処理を実行する利用促進処理部をさらに備える請求項１に記載のカーシェアリング管理装置。
【請求項３】
前記利用促進処理部は、前記利用促進処理として、前記空きスペースが確保できないと判定された前記駐車場エリアに駐車されている対象車の利用に対して所定のインセンティブを付与する、又は、前記空きスペースが確保できないと判定された前記駐車場エリアに駐車されている対象車の利用を利用者に告知する請求項２に記載のカーシェアリング管理装置。
【請求項４】
前記利用促進処理部は、インセンティブの付与条件に応じて予め決められた移動確率に基づき、利用促進処理を実行する対象者を選択する請求項３に記載のカーシェアリング管理装置。
【請求項５】
前記カーシェアリング管理装置は、
前記空きスペース判定部により、前記空きスペースが確保できないと判定された前記駐車場エリアへの前記対象車の乗り捨て予約の受け付けを制限する利用予約受付部をさらに備える請求項１から４のうちいずれか一項に記載のカーシェアリング管理装置。
【請求項６】
前記混雑状況演算部は、
前記駐車場エリアの現在の利用状況と予測される利用状況に基づき、前記駐車場エリアの混雑状況を求める請求項１から５のうちいずれか一項に記載のカーシェアリング管理装置。
【請求項７】
前記混雑状況演算部は、
前記駐車場エリアの予約情報、前記対象車の予約情報、前記駐車場エリアの過去の利用実績、前記対象車の過去の利用実績、前記駐車場エリアの地域特性、前記駐車場エリアの天気情報、前記駐車場エリア周辺の交通情報、および、前記駐車場エリア周辺の催事情報のうち少なくともいずれか一つに基づき、前記駐車場エリアの混雑状況を求める請求項１から６のうちいずれか一項に記載のカーシェアリング管理装置。
【請求項８】
カーシェアリング用の対象車の利用に関する車両利用情報と、前記対象車を駐車する駐車場エリアの利用に関する駐車場利用情報とに基づき、前記駐車場エリアの混雑状況を求め、
前記混雑状況に基づき、現在もしくは将来において、１つ以上の空きスペースを確保できないもしくは確保できない可能性の高い駐車場エリアが存在するか否かを判定するカーシェアリング管理方法。
【請求項９】
コンピュータを、
カーシェアリング用の対象車の利用に関する車両利用情報と、前記対象車を駐車する駐車場エリアの利用に関する駐車場利用情報とに基づき、前記駐車場エリアの混雑状況を求める混雑状況演算手段、
前記混雑状況演算手段が求めた前記混雑状況に基づき、現在もしくは将来において、１つ以上の空きスペースを確保できないもしくは確保できない可能性の高い駐車場エリアが存在するか否かを判定する空きスペース判定手段、
として機能させるためのプログラム。
【発明の詳細な説明】
【技術分野】
【０００１】
本発明は、カーシェアリング管理装置、カーシェアリング管理方法、及びプログラムに関する。
本願は、２０１３年１０月４日に出願された日本国特許出願第２０１３−２０９６９１号に対し優先権を主張し、その内容をここに援用する。
【背景技術】
【０００２】
カーシェアリング用の対象車を複数人で共同利用するカーシェアリングシステムが普及してきている。この対象車は、カーシェアリング用の対象車を駐車するために用意された駐車場に駐車されている。近年、カーシェアリング用の駐車場が増加してきており、カーシェアリングシステムの利用促進が期待されている。
このカーシェアリングシステムでは、ユーザ自身が、例えば、貸し出し駐車場と返却駐車場とを指定して利用予約を行う。そして、ユーザは、事前に貸与されているキーを用いて、貸し出し駐車場に駐車されている対象車に乗車し、返却駐車場で返却する。【０００３】
例えば、カーシェアリング用のカーステーションの利用負荷を分散させるためのカーステーション負荷分散システムとして、シェアカーの予約を受け付ける際に、目的地とするカーステーションが混雑している場合、代替となるカーステーションを会員の端末に提示するシステムがある（例えば、特許文献１参照）。
また、駐車場に駐車されている車両に乗車する際、駐車されている複数台の車両への分乗を依頼する通知を送信するシステムがある（例えば、特許文献２参照）。
さらに、カーシェアリング用の車両を駐車する複数の駐車場における保有台数を均等にするため、制限時間内に所定の移動元カーポートから所定の移動先カーポートに車両を移動させたユーザに対して所定の対価を付与するシステムがある（例えば、特許文献３参照）。
さらにまた、管理区域におけるレンタカーの配車を管理するレンタカー配車システムとして、翌日の始業時までに必要保有台数を確保するため、通常料金より低廉な減額料金を利用客に送信するシステムがある（例えば、特許文献４参照）。
【先行技術文献】
【特許文献】
【０００４】
【特許文献１】特開２０１２−２１５９２１号公報
【特許文献２】特開２０１３−３００１６号公報
【特許文献３】特開２０１０−１７０２９３号公報
【特許文献４】特開２０１２−１５０６５４号公報
【発明の概要】
【発明が解決しようとする課題】
【０００５】
しかしながら、カーシェアリングシステムにおける対象車の利用は、レンタカーに比べて短時間かつ短距離である場合が多く、カーシェアリング用の駐車場に駐車される対象車の台数は変動的である。よって、各駐車場において駐車台数の偏りが生じやすく、カーシェアリングの利用が制限される可能性がある。例えば、貸し出し駐車場と返却駐車場が異なる乗り捨て利用において、返却駐車場として、駅前や大型商業施設等の付近の駐車場の人気が高くなることが予測される。この場合、駅前や大型商業施設等の付近の駐車場において満車状態が続くと、これらの駐車場に乗り捨てができないため、返却駐車場の選択範囲が制限され、カーシェアリングが円滑に活用されない可能性がある。【０００６】
本発明は、カーシェアリング用の対象車を駐車する複数の駐車場のうち対象車の円滑な利用を制限する可能性のある駐車場を検出することができるカーシェアリング管理装置、カーシェアリング管理方法、及びプログラムを提供する。
【課題を解決するための手段】
【０００７】
本発明の第一の態様によれば、カーシェアリング管理装置は、カーシェアリング用の対象車の利用に関する車両利用情報と、前記対象車を駐車する駐車場エリアの利用に関する駐車場利用情報とに基づき、前記駐車場エリアの混雑状況を求める混雑状況演算部と、前記混雑状況演算部が求めた前記混雑状況に基づき、現在もしくは将来において、１つ以上の空きスペースを確保できないもしくは確保できない可能性の高い駐車場エリアが存在するか否かを判定する空きスペース判定部と、を備える。【０００８】
本発明の第二の態様によれば、上記に記載の第一の態様に係るカーシェアリング管理装置において、前記空きスペース判定部により、前記空きスペースが確保できないと判定された前記駐車場エリアの利用を促進するための利用促進処理を実行する利用促進処理部をさらに備える。【０００９】
本発明の第三の態様によれば、上記に記載の第二の態様に係るカーシェアリング管理装置において、前記利用促進処理部が、前記利用促進処理として、前記空きスペースが確保できないと判定された前記駐車場エリアに駐車されている対象車の利用に対してインセンティブを付与する処理、又は、前記空きスペースが確保できないと判定された前記駐車場エリアに駐車されている対象車の利用を利用者に告知する処理を実行する。【００１０】
本発明の第四の態様によれば、上記に記載の第三の態様に係るカーシェアリング管理装置において、前記利用促進処理部が、インセンティブの付与条件に応じて予め決められた移動確率に基づき、利用促進処理を実行する対象者を選択する。【００１１】
本発明の第五の態様によれば、上記に記載の第一から第四の態様のうちいずれか一の態様に係るカーシェアリング管理装置において、前記空きスペース判定部により、前記空きスペースが確保できないと判定された前記駐車場エリアへの前記対象車の乗り捨て予約の受け付けを制限する利用予約受付部をさらに備える。【００１２】
本発明の第六の態様によれば、上記に記載の第一から第五の態様のうちいずれか一の態様に係るカーシェアリング管理装置において、前記混雑状況演算部が、前記駐車場エリアの現在の利用状況と予測される利用状況に基づき、前記駐車場エリアの混雑状況を求める。【００１３】
本発明の第七の態様によれば、上記に記載の第一から第六の態様のうちいずれか一の態様に係るカーシェアリング管理装置において、前記混雑状況演算部が、前記駐車場エリアの予約情報、前記対象車の予約情報、前記駐車場エリアの過去の利用実績、前記対象車の過去の利用実績、前記駐車場エリアの地域特性、前記駐車場エリアの天気情報、前記駐車場エリア周辺の交通情報、および、前記駐車場エリア周辺の催事情報のうち少なくともいずれか一つに基づき、前記駐車場エリアの混雑状況を求める。【００１４】
本発明の第八の態様によれば、カーシェアリング管理方法は、カーシェアリング用の対象車の利用に関する車両利用情報と、前記対象車を駐車する駐車場エリアの利用に関する駐車場利用情報とに基づき、前記駐車場エリアの混雑状況を求め、前記混雑状況に基づき、現在もしくは将来において、１つ以上の空きスペースを確保できないもしくは確保できない可能性の高い駐車場エリアが存在するか否かを判定する。【００１５】
本発明の第九の態様によれば、プログラムは、コンピュータを、カーシェアリング用の対象車の利用に関する車両利用情報と、前記対象車を駐車する駐車場エリアの利用に関する駐車場利用情報とに基づき、前記駐車場エリアの混雑状況を求める混雑状況演算手段、前記混雑状況演算手段が求めた前記混雑状況に基づき、現在もしくは将来において、１つ以上の空きスペースを確保できないもしくは確保できない可能性の高い駐車場エリアが存在するか否かを判定する空きスペース判定手段、として機能させるためのプログラムである。
【発明の効果】
【００１６】
上述したカーシェアリング管理装置、管理方法、及びプログラムによれば、カーシェアリング用の複数の駐車場における駐車台数の偏りを検出することができる。
【図面の簡単な説明】
【００１７】
【図１】本発明の一実施形態に係るカーシェアリング管理システムの一例を示す概略図である。
【図２】本発明の一実施形態に係るカーシェアリング管理装置の構成例を示すブロック図である。
【図３】本発明の一実施形態に係るカーシェアリング運用ＤＢに格納されているカーシェアリング車両情報テーブルの一例を示す図である。
【図４】本発明の一実施形態に係る駐車場運用ＤＢに格納されているカーシェアリング駐車場情報テーブルの一例を示す図である。
【図５】本発明の一実施形態に係る予約情報ＤＢに格納されている予約情報テーブルの一例を示す図である。
【図６】本発明の一実施形態に係るインセンティブ条件ＤＢに格納されているインセンティブ条件テーブルの一例を示す図である。
【図７】本発明の一実施形態に係るカーシェアリング管理方法の一例を示すフローチャートである。
【図８】本発明の一実施形態に係る駐車場に駐車されている対象車の台数の一例を示す図である。
【図９】本発明の一実施形態に係る駐車場に駐車されている対象車の台数の他の例を示す図である。
【図１０】図７に示すフローチャートに含まれる混雑駐車場リスト作成処理の一例を示すフローチャートである。
【図１１】図７に示すフローチャートに含まれる利用促進処理の一例を示すフローチャートである。
【図１２】本発明の一実施形態に係る駐車場に駐車されている対象車の台数の他の例を示す図である。
【図１３】本発明の第２実施形態における駐車エリアの一例を示す図である。
【図１４】本発明の第３実施形態における駐車場の一例を示す図である。
【発明を実施するための形態】
【００１８】
（第１実施形態）
以下、本発明の第１実施形態に係るカーシェアリング管理システムの一例について図面を参照して説明する。図１は、本発明の第１実施形態に係るカーシェアリング管理システムの一例を示す概略図である。
図１に示す通り、本発明の第１実施形態に係るカーシェアリング管理システムは、それぞれネットワークを介して接続されているカーシェアリング管理装置１０、カーシェアリング車両管理サーバ２０、カーシェアリング駐車場管理サーバ３０、情報提供外部サーバ４０、予約管理サーバ５０、インセンティブ条件管理サーバ６０、及び、複数の端末７１，７２，７３・・・を備える。本発明の第１実施形態に係るカーシェアリング管理システムは、例えば、カーシェアリング用の駐車場に駐車されているカーシェアリング用の対象車を管理するシステムであって、ユーザ自身が対象車の予約から返却までを行うシステムである。ユーザは、対象車を借りる駐車場（以下、出発地点の駐車場という）と、対象車を返却する駐車場（以下、到着地点の駐車場という）と、出発時刻と到着時刻とを指定して、対象車の利用予約を行う。本実施形態に係るカーシェアリング管理システムでは、出発地点の駐車場と到着地点の駐車場とが異なる予約、つまり、対象車の乗り捨て利用が可能である。
【００１９】
カーシェアリング管理装置１０は、カーシェアリング用の駐車場に駐車されている対象車の混雑状況に基づき、移動してきた対象車を駐車させる空きスペースを少なくとも１台確保するための処理を実行する。駐車場の混雑状況とは、カーシェアリング用の駐車場に駐車される対象車の混雑の程度を示す情報である。本実施形態において、駐車場の混雑状況は、カーシェアリング用の駐車場内の駐車台数で示される。混雑状況は、現在時刻において駐車場に駐車されている対象車の駐車台数（以下、利用実績値という）と、現在時刻以降に駐車場に駐車されることが予測される対象車の駐車台数（以下、利用予測値という）とに基づき求められる。この利用予測値は、予約情報により予測される利用予測値（駐車台数）と、予約情報以外の情報により予測される利用予測値（駐車台数）とを含む。この予約情報以外の情報としては、駐車場の過去の利用実績値や対象車の過去の利用実績値、利用実績値と利用予測値との差分により学習される学習利用予測値、駐車場周辺の地域特性、駐車場周辺の天気情報、駐車場周辺の交通情報、駐車場周辺の催事情報等を含む。つまり、予約情報により予測される利用予測値の方が、予約情報以外の情報により予測される利用予測値よりも予測精度が高い情報である。
【００２０】
本発明の実施形態はこれに限られず、駐車場の混雑状況は、駐車場の利用率をパーセントで示すものであってもよく、駐車場の空きスペースの台数を示すものであってもよく、駐車場の混雑の程度を評価値で示すものであってもよい。この評価値とは、未来において駐車場に駐車される対象車の台数が増加あるいは減少する要因を評価する評価値である。評価値は、駐車される対象車の台数が増加する可能性が高い要因については高い評価値が予め割り当てられており、駐車される対象車の台数が減少する可能性が高い要因については低い評価値が予め割り当てられている。この評価値は、複数の評価基準によって決められてもよい。例えば、過去の利用実績値から予測される駐車台数の増減量を評価する基準や、駐車場周辺の地域特性、天気情報、交通情報や催事情報等に基づき予測される駐車台数の増減量を評価する基準等に基づき求められる評価値が含まれる。この場合、複数の評価基準に従って算出される評価値の総和が、駐車場の混雑状況を示す情報である。
【００２１】
カーシェアリング車両管理サーバ２０は、カーシェアリング運用ＤＢ（ＤａｔａＢａｓｅ）２１を備える。このカーシェアリング車両管理サーバ２０は、カーシェアリング用の対象車の利用に関する情報を生成し、カーシェアリング運用ＤＢ２１内のカーシェアリング車両情報テーブルに書き込む。このカーシェアリング用の対象車の利用に関する情報には、例えば、対象車の利用実績値として、対象車が実際に移動した移動区間や、移動した時刻（移動時刻）、移動した対象車の台数（移動台数）等が含まれる。また、カーシェアリング用の対象車の利用に関する情報には、例えば、対象車の学習利用予測値として、各移動時刻の各移動区間において、利用実績値に基づき利用が予測される対象車の台数を示す情報が含まれる。この対象車の学習利用予測値は、カーシェアリング管理装置１０により、利用実績値と利用予測値との差分に基づき学習される情報である。また、カーシェアリング用の対象車の利用に関する情報には、駐車場の立地に応じた移動区間の地域特性を示す情報も含まれる。このカーシェアリング車両情報テーブルの一例を図３に示し、詳細については図面を参照して後述する。
【００２２】
カーシェアリング駐車場管理サーバ３０は、駐車場運用ＤＢ（ＤａｔａＢａｓｅ）３１を備える。このカーシェアリング駐車場管理サーバ３０は、カーシェアリング用の対象車を駐車する駐車場の利用に関する情報を生成し、駐車場運用ＤＢ３１内のカーシェアリング駐車場情報テーブルに書き込む。この駐車場の利用に関する情報には、例えば、駐車場の利用実績値として、所定時間帯において駐車場に駐車している対象車の台数等が含まれる。また、駐車場エリアの利用に関する情報には、例えば、駐車場エリアの学習利用予測値として、各駐車場での各駐車時刻において、利用実績に基づき利用が予測される入庫の需要台数と出庫の需要台数とが含まれる。この駐車場エリアの学習利用予測値は、カーシェアリング管理装置１０により、利用実績値と利用予測値との差分に基づき学習される情報である。また、駐車場の利用に関する情報には、各駐車場の立地に応じた地域特性を示す情報も含まれる。このカーシェアリング駐車場情報テーブルの一例を図４に示し、詳細については図面を参照して後述する。
【００２３】
情報提供外部サーバ４０は、各駐車場周辺の天気を示す天気情報、各駐車場周辺の交通情報、および、各駐車場周辺の催事情報をカーシェアリング管理装置１０に送信するサーバである。
【００２４】
予約管理サーバ５０は、予約情報ＤＢ（ＤａｔａＢａｓｅ）５１を備える。この予約管理サーバ５０は、予め登録されたユーザからカーシェアリングの予約を受け付け、受け付けた予約の内容を予約情報ＤＢ５１内の予約情報テーブルに書き込む。この予約情報テーブルの一例を図５に示し、詳細については図面を参照して後述する。本実施形態に係るカーシェアリング管理システムにおいて、予約できるユーザは、事前に登録されたユーザに限られる。この事前に登録されたユーザには、それぞれのユーザを識別するためのユーザ識別情報であるユーザＩＤ（ｉｄｅｎｔｉｆｉｃａｔｉｏｎ）が予め割り当てられている。
【００２５】
インセンティブ条件管理サーバ６０は、インセンティブ条件ＤＢ（ＤａｔａＢａｓｅ）６１を備える。このインセンティブ条件管理サーバ６０は、予め登録されたユーザのそれぞれに対して与えられるインセンティブの付与条件をインセンティブ条件ＤＢ６１内のインセンティブ条件テーブルに書き込む。このインセンティブ条件テーブルの一例を図６に示し、詳細については図面を参照して後述する。このインセンティブ条件管理サーバ６０は、管理者によって決められたインセンティブの付与条件を受け付けて、インセンティブ条件ＤＢ６１に書き込みを行ってもよい。インセンティブ条件管理サーバ６０は、ユーザの属性に応じて予め決められているインセンティブの付与条件を各ユーザのユーザＩＤに対応付けてインセンティブ条件ＤＢ６１に書き込みを行ってもよい。また、インセンティブ条件ＤＢ６１は、過去に付与されたインセンティブの実績値に基づき学習されるインセンティブ条件（インセンティブ量、インセンティブ内容又は通知手段等）を格納してもよい。このインセンティブ条件ＤＢ６１は、所定時間間隔ごとに、又はインセンティブを付与したときに、前回の更新から付与されたインセンティブに基づき学習されたインセンティブ条件で更新されてもよい。これにより、インセンティブ条件ＤＢ６１を、リアルタイムに近い速さで、最新のインセンティブの付与状況に応じたインセンティブ条件に更新することができる。
【００２６】
複数の端末７１，７２，７３・・・は、事前に登録された各ユーザの端末であって、例えば、携帯電話やスマートフォンである。
【００２７】
次に、図２を参照して、本実施形態に係るカーシェアリング管理装置１０の構成例について説明する。図２は、本実施形態に係るカーシェアリング管理装置１０の構成例を示すブロック図である。
カーシェアリング管理装置１０は、混雑状況演算部１１と、空きスペース判定部１２と、利用予約受付部１３と、利用促進処理部１４と、時計部１５と、記憶部１６とを備える。
【００２８】
混雑状況演算部１１は、カーシェアリング用の対象車の利用に関する車両利用情報と、対象車を駐車する駐車場エリアの利用に関する駐車場利用情報とに基づき、駐車場エリアの混雑状況を求める。
【００２９】
この混雑状況演算部１１は、予約情報ＤＢ５１に格納されている予約情報に基づき、現在時刻において駐車場に駐車されている対象車の駐車台数（利用実績値）を求める。
【００３０】
この混雑状況演算部１１は、予約情報ＤＢ５１に格納されている予約情報に基づき、現在時刻から判定対象時刻までの混雑状況を演算する。判定対象時刻とは、現在時刻から予め決められた時間後の時刻であって、混雑状況を求める範囲を規定する時刻である。本実施形態において、混雑状況演算部１１は、予約情報に基づき演算される混雑状況を示す情報として、予約情報により予測される利用予測値を求める。具体的に説明すると、混雑状況演算部１１は、予約情報に基づき、現在時刻から判定対象時刻までに各駐車場での乗り捨てが決められている台数（入庫の需要数）から、現在時刻から判定対象時刻までに各駐車場からの貸し出しが決められている台数（出庫の需要数）を減算した値（予約情報により予測される利用予測値）を求める。
【００３１】
この混雑状況演算部１１は、予約情報以外の情報に基づき、現在時刻から判定対象時刻までの混雑状況を演算する。この予約情報以外の情報としては、例えば、カーシェアリング運用ＤＢ２１及び駐車場運用ＤＢ３１に格納されている学習利用予測値や、情報提供外部サーバ４０から受信した情報（例えば、駐車場周辺の地域特性、駐車場周辺の天気情報、駐車場周辺の交通情報、駐車場周辺の催事情報等）等が含まれる。本実施形態において、混雑状況演算部１１は、予約情報以外の情報に基づき演算される混雑状況を示す情報として、予約情報以外の情報により予測される利用予測値を求める。具体的に説明すると、混雑状況演算部１１は、予約情報以外の情報に基づき、現在時刻から判定対象時刻までに各駐車場での乗り捨てが予測される台数（入庫の需要数）から、現在時刻から判定対象時刻までに各駐車場からの貸し出しが予測される台数（出庫の需要数）を減算した値（予約情報以外の情報により予測される利用予測値）を求める。
【００３２】
この混雑状況演算部１１は、駐車場の混雑状況として、利用実績値に対して利用予測値（予約情報により予測される利用予測値と予約情報以外の情報により予測される利用予測値とを含む）を加算した値を求める。
【００３３】
空きスペース判定部１２は、混雑状況演算部１１が求めた混雑状況に基づき、移動してきた対象車を駐車させる空きスペースが確保できない駐車場があるか否かを判定する。言い換えると、空きスペース判定部１２は、混雑状況演算部１１が求めた混雑状況に基づき、現在もしくは将来において、１つ以上の空きスペースを確保できないもしくは確保できない可能性の高い駐車場エリアが存在するか否かを判定する。本実施形態において、空きスペース判定部１２は、現在時刻から所定時間後の近い将来において、混雑状況に基づき満車となることが予測される混雑駐車場のリスト（以下、混雑駐車場リストという）を作成する。この空きスペース判定部１２は、作成した混雑駐車場リストに含まれる混雑駐車場の中から、満車となることが予測される時刻までの間において、入庫の需要数が出庫の需要数を上回る駐車場があるか否かを判定する。満車となることが予測される時刻までの間において入庫の需要数が出庫の需要数を上回る駐車場がある場合、空きスペース判定部１２は、移動してきた対象車を駐車させる空きスペースが確保できない駐車場があると判定する。言い換えると、空きスペース判定部１２は、満車となることが予測される駐車場であっても、出庫の需要数が入庫の需要数を上回る場合、移動してきた対象車を駐車させる空きスペースが確保できる駐車場があると判定する。また、空きスペース判定部１２は、満車となることが予測される時刻までの間において、入庫の需要数が出庫の需要数を上回る駐車場がある場合、入庫の需要数が出庫の需要数を上回る時刻（以下、誘導時刻という）を求める。
【００３４】
利用予約受付部１３は、予約情報ＤＢ５１を参照して、空きスペース判定部１２の判定に基づき、移動してきた対象車を駐車させる空きスペースが確保できると判定された駐車場エリアへの返却を含む予約を受け付ける。具体的に説明すると、端末７１からネットワークを介してカーシェアリング管理装置１０に予約内容が送信されたとする。カーシェアリング管理装置１０の利用予約受付部１３は、予約内容を受信し、予約情報ＤＢ５１に格納されている情報と空きスペース判定部１２の判定とに基づき、受信した予約内容での予約が可能か否かを判定する。受信した予約内容に含まれる出発地点の駐車場において予約時間に貸出可能な対象車が確保されており、且つ、受信した予約内容に含まれる到着地点の駐車場において返却時刻に移動してきた対象車を駐車させる空きスペースが確保できると判定された場合、利用予約受付部１３は、受信した予約内容での予約が可能であると判定する。この利用予約受付部１３は、予約が可能であることを端末７１に返信する。
受信した予約内容に含まれる出発地点の駐車場において予約時間に貸出可能な対象車が確保できないと判定した場合、利用予約受付部１３は、出発地点の駐車場からの貸し出し予約の受け付けを制限する。また、受信した予約内容に含まれる到着地点の駐車場において返却時刻に移動してきた対象車を駐車させる空きスペースが確保できないと判定された場合、利用予約受付部１３は、空きスペース判定部１２により空きスペースが確保できないと判定された駐車場への対象車の乗り捨て予約の受け付けを制限する。
【００３５】
利用促進処理部１４は、空きスペース判定部１２により、移動してきた対象車を駐車させる空きスペースが確保できないと判定された駐車場（以下、利用促進対象駐車場という）の利用を促進するための利用促進処理を実行する。利用促進処理とは、利用促進対象駐車場に駐車されている対象車の利用を促進するため、利用促進対象駐車場に駐車されている対象車の利用をユーザに告知する処理や、利用促進対象駐車場に駐車されている対象車を利用したユーザに対して所定のインセンティブを付与する処理を含む。
この利用促進処理部１４は、利用促進対象駐車場に駐車されている対象車を移動可能な移動先（以下、入庫可能駐車場という）を決定し、現在時刻から誘導時刻までの間において、利用促進対象駐車場から入庫可能駐車場への利用を促進するユーザを、各ユーザの移動確率に基づき選択する。この処理の詳細については、以下に説明する。移動確率とは、誘導時刻までに利用促進対象駐車場に駐車されている対象車が利用され利用促進対象駐車場から出庫される確率を示す情報である。
【００３６】
この利用促進処理部１４は、予約情報ＤＢ５１に格納されている予約情報と、利用予測値に基づき、利用促進対象駐車場に駐車されている対象車の移動先（つまり、入庫可能駐車場）を決定する。具体的に説明すると、利用促進処理部１４は、予約情報により誘導時刻において空きスペースが少なくとも１台以上存在することが予測される駐車場、及び、予約情報により誘導時刻において満車となることが予測される駐車場であっても利用予測値により誘導時刻までに出庫の需要が発生することが予測される駐車場を、入庫可能駐車場と決定する。
【００３７】
この利用促進処理部１４は、インセンティブ条件ＤＢ６１に格納されている情報に基づき、各ユーザの移動確率を求める。本実施形態において、利用促進処理部１４は、現在時刻から誘導時刻までの間において、利用促進対象駐車場から入庫可能駐車場への乗り捨てを利用した場合のインセンティブの付与条件と各ユーザの過去の利用実績値に基づき、各ユーザの移動確率を求める。例えば、現在時刻から誘導時刻までの間において、利用促進対象駐車場から入庫可能駐車場への乗り捨てを利用した場合のインセンティブの付与条件として、インセンティブの付与形態が料金割引であるかクーポンであるかを示すインセンティブ内容と、割り引かれる利用料金に対する割合を示すインセンティブ量とが、予め決められている。このインセンティブの付与条件は、各ユーザへのインセンティブの付与又はインセンティブの利用実績値に応じて更新されてもよく、ユーザの属性に応じて決められてもよい。また、キャンペーン実施時期や利用促進期間においては、所定のユーザに対して一律に同じインセンティブが付与されてもよい。
【００３８】
この利用促進処理部１４は、移動してきた対象車を駐車させる空きスペースが確保できないと判定された利用促進対象駐車場に駐車されている対象車の利用を促進するユーザを、移動確率に基づき選択する。本実施形態において、利用促進処理部１４は、利用促進対象駐車場への入庫の需要数から出庫の需要数を減算した値に応じて予め決められている移動確率に基づき、対象車の利用を促進するユーザを決定する。例えば、利用促進対象駐車場への入庫の需要数から出庫の需要数を減算した値が１である場合、移動確率は８０％以上であることが決められている。利用促進対象駐車場への入庫の需要数から出庫の需要数を減算した値が２である場合、移動確率は８５％以上であることが決められている。利用促進対象駐車場への入庫の需要数から出庫の需要数を減算した値が３である場合、移動確率は９０％以上であることが決められている。つまり、利用促進対象駐車場への入庫の需要数から出庫の需要数を減算した値が大きくなればなるほど、対象車の早急な移動が求められる。このため、移動確率が高くなる利用促進処理を実行することが好ましい。なお、移動確率は、現在時刻から誘導時刻までの時間長に応じて決められていてもよい。つまり、現在時刻から誘導時刻までの時間長が短いほど、対象車の早急な移動が求められるため、移動確率が高くなる利用促進処理を実行することが好ましい。
【００３９】
時計部１５は、現在時刻を示す情報を、混雑状況演算部１１、空きスペース判定部１２、利用予約受付部１３、及び利用促進処理部１４に出力する。
記憶部１６は、カーシェアリング管理装置１０の各構成によって用いられる情報を一時的に記憶する記憶部である。
【００４０】
次に、図３を参照して、カーシェアリング運用ＤＢ２１に格納されているカーシェアリング車両情報テーブルの一例について説明する。図３は、本発明の一実施形態に係るこのカーシェアリング車両情報テーブルの一例を示す図である。
図３に示す通り、カーシェアリング車両情報テーブルは、移動区間と、移動時刻と、移動台数と、学習利用予測値と、地域特性とを対応付けて格納するテーブルである。上述の通り、移動台数は、移動区間と移動時刻に対応する利用実績値である。図３に示すテーブルには、駐車場Ａから駐車場Ｂに移動した対象車の移動台数と、駐車場Ｃから駐車場Ｂに移動した対象車の移動台数が、移動時刻ごとに書き込まれている。図３に示す例において、移動時刻は、３０分間隔に区切られている一定期間の時間である。利用実績値は、一日ごとの移動台数がカーシェアリング車両情報テーブルの各欄に書き込まれてもよく、数日間の移動台数の平均値がテーブルの各欄に書き込まれてもよい。
【００４１】
次に、図４を参照して、駐車場運用ＤＢ３１に格納されているカーシェアリング駐車場情報テーブルの一例について説明する。図４は、本発明の第１実施形態に係るこのカーシェアリング駐車場情報テーブルの一例を示す図である。
図４に示す通り、カーシェアリング駐車場情報テーブルは、駐車場名と、駐車時刻と、駐車台数と、学習利用予測値と、地域特性とを対応付けて格納するテーブルである。上述の通り、駐車台数は、駐車場名と駐車時刻に対応する利用実績値である。図４に示すテーブルには、駐車場Ａの駐車台数と、駐車場Ｂの駐車台数とが、駐車時刻ごとに書き込まれている。図４に示す例において、駐車時刻は、３０分間隔に区切られている一定期間の時間である。利用実績値は、一日ごとの駐車台数がカーシェアリング駐車場情報テーブルの各欄に書き込まれてもよく、数日間の駐車台数の平均値がテーブルの各欄に書き込まれてもよい。
【００４２】
次に、図５を参照して、予約情報ＤＢ５１に格納されている予約情報テーブルの一例について説明する。図５は、本発明の第１実施形態に係る予約情報テーブルの一例を示す図である。
図５に示す通り、予約情報テーブルは、出発地点の駐車場と、出発時刻と、到着地点の駐車場と、到着時刻と、ユーザ識別情報であるユーザＩＤと、ユーザ名とを対応付けて格納するテーブルである。この予約情報テーブルは、予約ごとの予約情報を対応付けるテーブルである。予約がキャンセルされた場合、キャンセルされた予約情報が、予約情報テーブルから削除される。
【００４３】
次に、図６を参照して、インセンティブ条件ＤＢ６１に格納されているインセンティブ条件テーブルの一例について説明する。図６は、本発明の第１実施形態に係るインセンティブ条件テーブルの一例を示す図である。
図６に示す通り、インセンティブ条件テーブルは、ユーザＩＤと、現在時刻と、誘導時刻と、出発地点の駐車場と、到着地点の駐車場と、通信手段と、インセンティブ内容と、インセンティブ量と、移動確率とを対応付けて格納するテーブルである。
【００４４】
次に、図７を参照して、本発明の第１実施形態に係るカーシェアリング管理方法の一例について説明する。図７は、本発明の第１実施形態に係るカーシェアリング管理方法の一例を示すフローチャートである。ここでは、図８，９を参照し、駐車場Ａ，Ｂ，Ｃにおける対象車の移動例を用いて、カーシェアリング管理方法の一例について説明する。図８は、現在時刻１２：００に駐車場Ａ，Ｂ，Ｃの駐車状況の一例を示す図である。図９は、判定対象時刻１４：００に駐車場Ａ，Ｂ，Ｃの駐車状況の一例を示す図である。
【００４５】
（ステップＳＴ１０１）
混雑状況演算部１１は、近い将来である判定対象時刻を取得する。この混雑状況演算部１１は、例えば、時計部１５から出力される現在時刻に基づき、現在時刻から予め決められた時間後を判定対象時刻として取得する。本実施形態において、混雑状況演算部１１は、現在時刻が１２：００であったとすると、判定対象時刻として２時間後の１４：００を取得する。
（ステップＳＴ１０２）
次いで、混雑状況演算部１１は、現在時刻１２：００から判定対象時刻１４：００までの予約情報を予約情報ＤＢ５１から読み出す。
【００４６】
（ステップＳＴ１０３）
混雑状況演算部１１は、ステップＳＴ１０２において取得した予約情報に基づき、現在時刻１２：００から判定対象時刻１４：００までの混雑状況を演算する。
【００４７】
この混雑状況演算部１１は、予約情報ＤＢ５１に格納されている予約情報に基づき、現在時刻において駐車場に駐車されている対象車の駐車台数（利用実績値）を求める。ここでは、図８に示す通り、駐車場Ａには６台、駐車場Ｂには６台、駐車場Ｃには７台が駐車されているとする。混雑状況演算部１１は、予約情報に基づき、図８に示す駐車台数を、現在時刻１２：００の混雑状況として求める。
【００４８】
次いで、混雑状況演算部１１は、予約情報に基づき、現在時刻１２：００から判定対象時刻１４：００までの間において予想される各駐車場での対象車の駐車台数を求める。
例えば、出発地点の駐車場Ｂと、到着地点の駐車場Ａと、出発時刻１２：１０と、到着時刻１２：５０とを指定した予約情報が予約情報ＤＢ５１に格納されているとする。この場合、混雑状況演算部１１は、予約情報により予測される利用予測値として、１０分後に駐車場Ｂから駐車場Ａへの自然需要が発生すると予測する。つまり、混雑状況演算部１１は、１２：１０に駐車場Ｂの駐車台数が１つ減少（駐車場Ｂの出庫の需要数が１つ増加）し、１２：５０に駐車場Ａの駐車台数が１つ増加（駐車場Ａの入庫の需要数が１つ増加）することを求める。
また、出発地点の駐車場Ａと、到着地点の駐車場Ｃと、出発時刻１２：４０と、到着時刻１３：４０とを指定した予約情報が予約情報ＤＢ５１に格納されているとする。この場合、混雑状況演算部１１は、予約情報により予測される利用予測値として、４０分後に駐車場Ａから駐車場Ｃへの自然需要が発生すると予測する。つまり、混雑状況演算部１１は、１２：４０に駐車場Ａの駐車台数が１つ減少（駐車場Ａの出庫の需要数が１つ増加）し、１３：４０に駐車場Ｃの駐車台数が１つ増加（駐車場Ｃの入庫の需要数が１つ増加）することを求める。
【００４９】
混雑状況演算部１１は、予約情報に基づき、各駐車場の判定対象時刻１４：００の混雑状況を求める。
具体的に説明すると、混雑状況演算部１１は、駐車場Ａについて、現在時刻１２：００の駐車台数６台に対して、判定対象時刻１４：００までの入庫の需要数１台を加算し、判定対象時刻１４：００までの出庫の需要数１台を減算した値、つまり、駐車台数６台を、予約情報により予測される判定対象時刻１４：００の混雑状況として求める。
また、混雑状況演算部１１は、駐車場Ｂについて、現在時刻１２：００の駐車台数６台に対して、判定対象時刻１４：００までの出庫の需要数１台を減算した値、つまり、駐車台数５台を、予約情報により予測される判定対象時刻１４：００の混雑状況として求める。
また、混雑状況演算部１１は、駐車場Ｃについて、現在時刻１２：００の駐車台数７台に対して、判定対象時刻１４：００までの入庫の需要数１台を加算した値、つまり、駐車台数８台を、予約情報により予測される判定対象時刻１４：００の混雑状況として求める。
このようにして、混雑状況演算部１１は、予約情報に基づき、図９に示す駐車台数を、予約情報により予測される判定対象時刻１４：００の混雑状況として求める。
【００５０】
（ステップＳＴ１０４）
次いで、空きスペース判定部１２は、混雑状況演算部１１が求めた予約情報により予測される混雑状況に基づき、判定対象時刻１４：００において、満車となることが予測される混雑駐車場を含む混雑駐車場リストを作成する。本実施形態において、空きスペース判定部１２は、各駐車場の最大駐車台数から、予約情報により予測される判定対象時刻１４：００の混雑状況が示す駐車台数を減算した値（つまり、空きスペースに駐車できる台数の予測値）が１台以上の対象車を駐車できる空きスペースを確保していない駐車場を混雑駐車場と判定し、混雑駐車場を含む混雑駐車場リストを作成する。この処理の詳細については、図１０を参照して後述する。
【００５１】
（ステップＳＴ１０５）
そして、空きスペース判定部１２は、判定対象時刻１４：００において１台以上の対象車を駐車できる空きスペースを確保していない駐車場が１つ以上あるか否かを判定する。
判定対象時刻１４：００において１台以上の対象車を駐車できる空きスペースを確保していない駐車場が１つもない場合、空きスペース判定部１２は、処理を終了する。
【００５２】
（ステップＳＴ１０６）
判定対象時刻１４：００において１台以上の対象車を駐車できる空きスペースを確保していない駐車場が１つ以上ある場合、つまり、空きスペース判定部１２によっていずれかの駐車場において１台以上の対象車を駐車できる空きスペースを確保できないと判定された場合、利用促進処理部１４は、作成した混雑駐車場リストに含まれる駐車場の利用を促進するための利用促進処理を実行する。この処理の詳細については、図１１を参照して後述する。
【００５３】
（ステップＳＴ１０７）
次いで、利用予約受付部１３は、空きスペース判定部１２によっていずれかの駐車場において１台以上の対象車を駐車できる空きスペースを確保できないと判定された駐車場への対象車の乗り捨て予約の受け付けを制限するための設定を行う。
【００５４】
次に、図１０を参照して、図７のフローチャートに含まれる混雑駐車場リスト作成処理の一例について説明する。図１０は、本実施形態に係る混雑駐車場リスト作成処理の一例を示すフローチャートである。
（ステップＳＴ２０１）
空きスペース判定部１２は、予め登録されている全ての駐車場のうち、一つを選択する。例えば、空きスペース判定部１２は、ポートＩＤ＝１の駐車場Ａを選択する。
（ステップＳＴ２０２）
空きスペース判定部１２は、混雑状況演算部１１によって求められた判定対象時刻１４：００における混雑状況に基づき、駐車場Ａが、判定対象時刻１４：００において１台以上の対象車を駐車できる空きスペースを確保しているか否かを判定する。つまり、空きスペース判定部１２は、選択した駐車場Ａが、判定対象時刻１４：００において満車状態となることが予測されるか否かを判定する。
【００５５】
（ステップＳＴ２０３）
混雑状況演算部１１によって求められた予約情報により予測される利用予測値によると、判定対象時刻１４：００における駐車場Ａの駐車台数は６台である。よって、空きスペース判定部１２は、ステップＳＴ２０２において、駐車場Ａが判定対象時刻１４：００において１台以上の対象車を駐車できる空きスペースを確保していると判定する（ステップＳＴ２０２：ＮＯ）。ここで、全ての駐車場についてＳＴ２０２の判定が終了していない場合（ステップＳＴ２０３：ＮＯ）、空きスペース判定部１２は、ステップＳＴ２０１に戻って、予め登録されている全ての駐車場のうち、次のポートＩＤ＝２の駐車場Ｂを選択する。空きスペース判定部１２は、このステップＳＴ２０３の処理により、全ての駐車場についてステップＳＴ２０２の判定を行う。全ての駐車場についてステップＳＴ２０２の判定を行った場合(ステップＳＴ２０３：ＹＥＳ）、空きスペース判定部１２は、処理を終了する。
【００５６】
（ステップＳＴ２０４）
混雑状況演算部１１によって求められた予約情報により予測される利用予測値によると、判定対象時刻１４：００における駐車場Ｃの駐車台数は８台である。よって、空きスペース判定部１２は、ステップＳＴ２０１において、駐車場Ｃが判定対象時刻１４：００において１台以上の対象車を駐車できる空きスペースを確保していないと判定する（ステップＳＴ２０２：ＹＥＳ）。
この場合、空きスペース判定部１２は、ステップ２０４において駐車場Ｃを混雑駐車場リストに追加する。つまり、空きスペース判定部１２は、選択した駐車場Ｂが判定対象時刻１４：００において満車状態となることが予測されると判定し、駐車場Ｃを混雑駐車場リストに追加する。
【００５７】
（ステップＳＴ２０５）
空きスペース判定部１２は、利用実績値と学習利用予測値との差分に基づき、カーシェアリング運用ＤＢ２１と駐車場運用ＤＢ３１のテーブルにおける学習利用予測値を学習させる。この学習処理で用いられる利用実績値とは、現在時刻１２：００における駐車場Ａの駐車台数から予め決められた時間だけ過去（例えば１０：００）の駐車場Ａの駐車台数を減算した値である。この学習利用予測値とは、現在時刻１２：００においてカーシェアリング運用ＤＢ２１と駐車場運用ＤＢ３１のテーブルに書き込まれている学習利用予測値である。
例えば、１０：００〜１２：００の駐車場Ａの利用実績値は３台であって、１０：００〜１２：００の駐車場Ａの学習利用予測値が１台であったとする。このように、利用実績値が学習利用予測値を上回っている場合、空きスペース判定部１２は、駐車場運用ＤＢ３１のテーブルにおける駐車場Ａの１０：００〜１２：００の時間帯に対応付けられた学習利用予測値を利用実績値の３台に書き換える。
また、１０：００〜１２：００の駐車場Ａから駐車場Ｂへの利用実績値は１台であって、１０：００〜１２：００の駐車場Ａから駐車場Ｂへの利用予測値が２台であったとする。このように、利用実績値が学習利用予測値を下回っている場合、空きスペース判定部１２は、カーシェアリング運用ＤＢ２１のテーブルにおける１０：００〜１２：００の時間帯に対応付けられた駐車場Ａから駐車場Ｂへの利用予測値を書き換えない。
【００５８】
次に、図１１を参照して、図７のフローチャートに含まれる利用促進処理の一例について説明する。図１１は、本実施形態に係る利用促進処理の一例を示すフローチャートである。ここでは、図１２を参照し、駐車場Ａ，Ｂ，Ｃにおける対象車の移動例を用いて、利用促進処理の一例について説明する。図１２は、判定対象時刻１４：００までに予測される駐車場Ａ，Ｂ，Ｃの駐車状況一例を示す図である。
【００５９】
（ステップＳＴ３０１）
空きスペース判定部１２は、作成した混雑駐車場リストに含まれる駐車場のうち、一つを選択する。例えば、空きスペース判定部１２は、混雑駐車場リストに含まれるポートＩＤ＝３の駐車場Ｃを選択する。
（ステップＳＴ３０２）
次いで、混雑状況演算部１１は、情報提供外部サーバ４０から取得した情報（駐車場Ｃ周辺の天気情報、駐車場Ｃ周辺の交通情報、駐車場Ｃ周辺の催事情報等）、カーシェアリング運用ＤＢ２１から取得した情報（駐車場Ｃへの乗り捨て利用に基づく学習利用予測値、駐車場周辺の地域特性）、及び、駐車場運用ＤＢ３１から取得した情報（駐車場Ｃの利用に基づく学習利用予測値、駐車場周辺の地域特性）のうち少なくとも１つに基づき、現在時刻１２：００から判定対象時刻１４：００までに予想される各駐車場での混雑状況（例えば、対象車の駐車台数）を求める。
例えば、混雑状況演算部１１は、情報提供外部サーバ４０から取得した情報、カーシェアリング運用ＤＢ２１から取得した情報、及び、駐車場運用ＤＢ３１から取得した情報に基づき、移動時間帯１２：００〜１３：３０の間で、駐車場Ａから駐車場Ｃに移動する対象車の需要が予測されたとする。この場合、混雑状況演算部１１は、予約情報以外の情報により予測される利用予測値として、１２：００〜１３：３０の間において駐車場Ａから駐車場Ｃへの自然需要が発生すると予測する。つまり、混雑状況演算部１１は、１２：００に駐車場Ａからの出庫の需要数が１つ増加し、１３：３０に駐車場Ｃへの入庫の需要数が１つ増加することを求める。そして、混雑状況演算部１１は、入庫の需要数が増加することが予測される時刻と、出庫の需要数が増加することが予測される時刻とを求める。混雑状況演算部１１は、求めた時刻と入庫の需要数とを対応付けるとともに、求めた時刻と出庫の需要数とを対応付ける。
このようにして、混雑状況演算部１１は、予約情報以外の情報に基づき、図１２に示す駐車台数を、予約情報以外の情報から予測される判定対象時刻１４：００までの混雑状況として求める。
【００６０】
（ステップＳＴ３０３）
そして、空きスペース判定部１２は、混雑状況演算部１１によって求められた入庫の需要数と出庫の需要数とを比較し、入庫の需要数が出庫の需要数を上回るか否かを判定する。
【００６１】
（ステップＳＴ３０４）
混雑状況演算部１１によって求められた予約情報以外の情報により予測される利用予測値によると、駐車場Ｃの入庫の需要数は１台、出庫の需要数は０台である。よって、空きスペース判定部１２は、入庫の需要数が出庫の需要数を上回ると判定する（ステップＳＴ３０３：ＹＥＳ）。入庫の需要数が出庫の需要数を上回ると判定した場合、空きスペース判定部１２は、ステップＳＴ３０４において入庫の需要数が出庫の需要数を上回ることが予測される時刻（以下、誘導時刻という）を、記憶部１６に書き込む。本実施形態において、空きスペース判定部１２は、駐車場Ｃの入庫の需要数が駐車場Ｃの出庫の需要数を上回ることが予測される誘導時刻が１３：３０であることを、記憶部１６に書き込む。
【００６２】
（ステップＳＴ３０５）
そして、利用促進処理部１４は、予約情報ＤＢ５１に格納されている予約情報と、利用予測値に基づき、誘導時刻１３：３０までに対象車を駐車可能な駐車場を、駐車場Ｃに駐車されている対象車の移動先（入庫可能駐車場）として決定する。具体的に説明すると、利用促進処理部１４は、予約情報により誘導時刻１２：３０において１台以上の対象車を駐車できる空きスペースを確保できることが予測される駐車場、及び、予約情報により誘導時刻１３：３０において満車となることが予測される駐車場であっても利用予測値により誘導時刻１３：３０までに出庫の需要が発生することが予測される駐車場を、入庫可能駐車場と決定する。本実施形態において、駐車場Ａ，Ｂは、誘導時刻１３：３０において１台以上の対象車を駐車できる空きスペースを確保しているため、利用促進処理部１４は、駐車場Ａ，Ｂを入庫可能駐車場と決定する。
【００６３】
（ステップＳＴ３０６）
次いで、利用促進処理部１４は、入庫の需要数が出庫の需要数を上回る誘導時刻１３：３０までに駐車場Ｃに駐車されている対象車の利用を促進するユーザを、移動確率に基づき選択する。
例えば、利用促進処理部１４は、図６に示すような移動確率を、ユーザごとに求める。
ユーザ対象の範囲が予め決められている場合、利用促進処理部１４は、予め決められた範囲に含まれるユーザごとに、移動確率を求める。このユーザ対象の範囲とは、例えば、駐車場Ａ〜Ｃの周辺に自宅や勤務地があるユーザや、ユーザの属性（年齢、性別等）に応じて決められる。
また、利用促進処理部１４は、利用促進対象駐車場Ｃへの入庫の需要数から出庫の需要数を減算した値に応じて予め決められている移動確率に基づき、対象車の利用を促進するユーザを決定する。ここで、駐車場Ｃへの入庫の需要数から出庫の需要数を減算した値は１である。よって、利用促進処理部１４は、移動確率が８０％以上となるように、利用促進対象駐車場である駐車場Ｂに駐車されている対象車の利用を促進するユーザを決定する。
【００６４】
図６に示す例において、ユーザＩＤ＝００３とユーザＩＤ＝０１４とを選択した場合、利用促進処理部１４は、ユーザＩＤ＝００３とユーザＩＤ＝０１４が誘導時刻１３：３０までに駐車場Ｃから駐車場Ａに対象車を移動する移動確率が０．８３（８３％）であることを求める。つまり、利用促進処理部１４は、以下の式に基づき、移動確率０．８３（８３％）を求める。
１−（０．４３×０．３８）＝０．８３
よって、利用促進処理部１４は、移動確率が８０％以上となるユーザとして、ユーザＩＤ＝００３とユーザＩＤ＝０１４とを選択する。
【００６５】
（ステップＳＴ３０７）
利用促進処理部１４は、インセンティブ条件ＤＢ６１に格納されている通知手段に従って、ユーザＩＤ＝００３とユーザＩＤ＝０１４とに対して、利用促進対象駐車場Ｃに駐車されている対象車の利用を告知する。ここで、利用促進処理部１４は、ユーザＩＤ＝００３の端末に対して告知メールを送信し、１３：２０までに駐車場Ｃから駐車場Ａまでの対象車の利用に対して、通常料金の２０％に相当するクーポンを付与することを通知する。また、利用促進処理部１４は、ユーザＩＤ＝０１４の端末（スマートフォン）に対して告知メッセージを送信し、１３：２０までに駐車場Ｃから駐車場Ａまでの対象車の利用に対して、通常料金から５０％の料金割引を適用することを通知する。
【００６６】
利用予約受付部１３は、ユーザＩＤ＝００３の端末から、１３：２０までに駐車場Ｃから駐車場Ａまでの対象車の利用予約があった場合、インセンティブ条件ＤＢ６１を参照して、通常料金の２０％に相当するクーポンを付与する。また、利用予約受付部１３は、ユーザＩＤ＝０１４の端末から、１２：２０までに駐車場Ｃから駐車場Ａまでの対象車の利用予約があった場合、通常料金から５０％の料金割引を適用した料金を課金する。
【００６７】
（ステップＳＴ３０８）
ステップＳＴ３０３において、入庫の需要数が出庫の需要数以下であると判定した場合（ステップＳＴ３０３：ＮＯ）、利用促進処理部１４は、ステップＳＴ３０８において、この駐車場の利用を進める告知を、インターネットに掲載したり、カーシェアリングシステムの利用者にメールを送信して通知する利用促進処理を実行する。
（ステップＳＴ３０９）
次いで、空きスペース判定部１２は、混雑駐車場リストに含まれる全ての駐車場について、ステップＳＴ３０３の処理を実行したか否かを判定する。全ての駐車場についてステップＳＴ３０３の処理を実行したと判定した場合(ステップＳＴ３０９：ＹＥＳ）、空きスペース判定部１２は、処理を終了する。全ての駐車場についてステップＳＴ３０３の処理を実行していないと判定した場合（ステップＳＴ３０９：ＮＯ）、空きスペース判定部１２は、ステップＳＴ３０１に戻って、混雑駐車場リストに含まれる駐車場のうち、次の駐車場を選択する。
【００６８】
本発明の実施形態はこれに限られない。例えば、利用促進処理部１４は、所定時間間隔ごと、もしくは又はインセンティブを付与したとき、前回の更新から付与されたインセンティブに基づき、インセンティブを付与した利用者の属性、駐車場もしくは時間帯や曜日に応じたインセンティブ条件を学習させる。この利用促進処理部１４は、学習させたインセンティブ条件を、ネットワークを介してインセンティブ条件管理サーバ４０に送信する。このインセンティブ条件サーバ４０は、上述の通り、受信したインセンティブ条件に基づき、インセンティブ条件ＤＢ６１を更新する。利用促進処理部１４による学習処理は、インセンティブ条件管理サーバ４０によって実行されてもよい。
【００６９】
上述の通り、本発明の第１実施形態に係るカーシェアリング管理装置１０は、駐車場の混雑状況に基づき、移動してきた対象車を駐車させる空きスペースが確保できない駐車場があるか否かを判定する。これにより、カーシェアリング用の複数の駐車場のうち、移動してきた対象車を駐車させる空きスペースが確保できない駐車場を検出し、対象車の利用を制限する駐車場を検出することができる。また、複数の駐車場における駐車場間の駐車台数の偏りを検出することができる。
【００７０】
また、本発明の第１実施形態に係るカーシェアリング管理装置１０は、空きスペースが確保できないと判定された駐車場の利用を促進するための利用促進処理を実行する。これにより、例えば、乗り捨てされた対象車で満車状態となることが予測される駐車場の対象車の利用が促進され、移動してきた対象車を駐車させる空きスペースを確保することができる。
対象車を駐車できない駐車場がある場合や、この状態が継続して駐車場の利用が長期的に制限される場合、対象車の乗り捨て利用時において返却駐車場の選択肢が制限されるとともに、目的地周辺に乗り捨てが可能な返却駐車場がない場合には一時的に乗り捨て利用が制限される可能性があった。本発明の第１実施形態に係るカーシェアリング管理装置１０は、空きスペースが確保できない駐車場に対して利用促進処理を実行することにより、対象車を駐車できない駐車場の発生を抑制し、駐車場の利用が長期的に制限される事態を解消することができる。これにより、カーシェアリングにおける乗り捨て利用が促進される。また、複数の駐車場における駐車場間の駐車台数の偏りを検出することにより、空スペースが確保できないと判定された駐車場に駐車されている対象車が、空きスペースが確保できないと判定されない駐車場に移動することを促進することができる。
【００７１】
また、本発明の第１実施形態に係るカーシェアリング管理装置１０の利用促進処理部１４は、利用促進処理として、空きスペースが確保できないと判定された駐車場に駐車されている対象車の利用に対して所定のインセンティブを付与する。これにより、対象車の利用がより促進される。
また、本発明の第１実施形態に係るカーシェアリング管理装置１０の利用促進処理部１４は、インセンティブの付与条件に応じて予め決められた移動確率に基づき、利用促進処理を実行する対象者（ユーザ）を選択する。これにより、インセンティブによるコスト管理が可能となり、コスト面からも最適な利用促進が可能となる。例えば、早急に駐車場Ｂの対象車を移動させたい場合、カーシェアリング管理装置１０は、より高いインセンティブを付与して効果的な利用促進を図ることが可能である。また、対象車の移動に早急性が要求されていない場合、カーシェアリング管理装置１０は、インセンティブを低くすることにより、割引による減益を抑えることができる。
【００７２】
また、本発明の第１実施形態に係るカーシェアリング管理装置１０の利用予約受付部１３は、空きスペースが確保できないと判定された駐車場への対象車の乗り捨て予約の受け付けを制限する。これにより、混雑駐車場の混雑状況がさらに混雑することを防止することができる。
また、本発明の第１実施形態に係るカーシェアリング管理装置１０の混雑状況演算部１１は、駐車場エリアの現在の利用状況（利用実績値）と予測される利用状況（利用予測値）に基づき、駐車場エリアの混雑状況を求める。これにより、将来的な混雑状況を踏まえて、より確実な混雑状況を求めることができる。
また、本発明の第１実施形態に係るカーシェアリング管理装置１０の混雑状況演算部１１は、駐車場の予約情報、対象車の予約情報、駐車場の過去の利用実績、対象車の過去の利用実績、駐車場周辺の地域特性、駐車場周辺の天気情報、駐車場周辺の交通情報、及び、駐車場周辺の催事情報のうち少なくともいずれか一つに基づき、駐車場の混雑状況を求める。これにより、多角的な視点から駐車場の混雑状況を予測することができる。
【００７３】
（第２実施形態）
本発明の第２実施形態に係るカーシェアリング管理装置１０は、複数の駐車場を含む駐車場エリアの混雑状況を求めてもよい。カーシェアリング管理装置１０は、求めた混雑状況に基づき、移動してきた対象車を駐車させる空きスペースが確保できない駐車場エリアがあるか否かを判定してもよい。この駐車場エリアとは、カーシェアリング用の１つの駐車場からなる１つの駐車場エリアと、カーシェアリング用の２以上の駐車場を含む１つの駐車場エリアとの両方を含む概念である。
駐車エリアの一例について、図１３を参照して説明する。図１３は、本発明の第２実施形態における駐車エリアの一例を示す図である。
図１３に示す通り、駐車エリアＸには駐車場Ａ，Ｂ，Ｃが含まれ、駐車エリアＹには駐車場Ｄが含まれ、駐車エリアＺには駐車場Ｅ，Ｆが含まれる。
本実施形態に係るカーシェアリング管理装置１０は、駐車場を駐車エリアという単位で取り扱う以外は、第１実施形態に係るカーシェアリング管理装置１０と同様の機能を有するため、詳細な説明は省略する。
このように、駐車場エリア単位で、移動してきた対象車を駐車させる空きスペースが確保できない駐車場エリアがあるか否かを判定することにより、近くに設けられた複数の駐車場を総合的に管理することができる。例えば、駅の周辺に駐車場Ａ，Ｂ，Ｃが用意されている場合、ユーザから見ると、駅の近くの駐車場であれば、いずれであってもよいという場合が考えられる。このような場合、駐車場エリア単位で利用促進を行うことにより、より柔軟に利用促進を図ることができる。
【００７４】
（第３実施形態）
本発明の第３実施形態に係るカーシェアリング管理装置１０は、混雑状況に基づき、移動してきた対象車を駐車させる空きスペースが確保できない駐車場があると判定した場合、この移動してきた対象車を駐車させる空きスペースが確保できないと判定された駐車場に用意されている共有駐車スペースを一時的にカーシェアリング用の駐車スペースとして利用してもよい。この共有駐車スペースとは、一般用の駐車スペースとしても利用可能であり、カーシェアリング用の駐車スペースとしても利用可能な駐車スペースである。一般用の車両が駐車していない場合、カーシェアリング用の対象車を駐車することができる駐車スペースである。
【００７５】
共有駐車スペースとカーシェアリング用の駐車スペースの両方が設けられている駐車場の一例について、図１４を参照して説明する。図１４は、本発明の第３実施形態における駐車場の一例を示す図である。
図１４に示す通り、駐車場Ａは、共有駐車スペース（２台分）とカーシェアリング用の駐車スペース（６台分）が設けられている。駐車場Ｂには、カーシェアリング用の駐車スペース（８台分）とが、駐車場Ｃには、カーシェアリング用の駐車スペース（８台分）が、それぞれ設けられている。
ここで、駐車場Ｂから駐車場Ａへの移動と、駐車場Ａから駐車場Ｃへの移動が、自然需要として発生したとする。つまり、出発地点の駐車場Ｂと到着地点の駐車場Ａを指定した予約と、出発地点の駐車場Ａと到着地点の駐車場Ｃを指定した予約とが発生したとする。
この場合、駐車場Ａと駐車場Ｃの混雑状況は混雑している。言い換えると、駐車場Ａと駐車場Ｃの混雑度が高い。一方、駐車場Ｂの混雑状況は混雑していない。言い換えると、駐車場Ｂの混雑度は低い。
また、利用予測値によると、駐車場Ａから駐車場Ｂへの移動と、駐車場Ｃから駐車場Ｂへの移動の需要が低いとする。利用予測値によると、駐車場Ｃから駐車場Ａへの移動の需要が高いとする。
この場合、カーシェアリング管理装置１０の利用促進処理部１４は、駐車場Ａのカーシェアリング用の駐車スペースに共有駐車スペースを追加し、駐車場Ａの駐車可能台数を８台に設定する。これにより、カーシェアリング管理装置１０は、駐車場Ａを入庫可能駐車場に決定することが可能となる。従って、カーシェアリング管理装置１０は、駐車場Ｃから駐車場Ａへの利用促進処理を実行することができる。
【００７６】
なお、本発明は上記実施形態に限られず、各実施形態を組み合わせたものであってもよい。例えば、第２実施形態と第３実施形態とを組み合わせたものであってもよい。
【００７７】
また、本発明におけるカーシェアリング管理装置１０の機能を実現するためのプログラムをコンピュータ読み取り可能な記録媒体に記録してもよい。この記録媒体に記録されたプログラムをコンピュータシステムに読み込ませ、実行することにより工程を行ってもよい。ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含む。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。
【００７８】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現しても良い。さらに、前述した機能をコンピュータシステムにすでに記録されているプログラムとの組み合わせで実現できるもの、いわゆる差分ファイル（差分プログラム）であっても良い。
【産業上の利用可能性】
【００７９】
上述のカーシェアリング管理装置、管理方法、及びプログラムによれば、カーシェアリング用の複数の駐車場における駐車台数の偏りを検出することができる。
【符号の説明】
【００８０】
１０  カーシェアリング管理装置
１１  混雑状況演算部
１２  空きスペース判定部
１３  利用予約受付部
１４  利用促進処理部
１５  時計部
１６  記憶部
２０  カーシェアリング車両管理サーバ
２１  カーシェアリング運用ＤＢ
３０  カーシェアリング駐車場管理サーバ
３１  駐車場運用ＤＢ
４０  情報提供外部サーバ
５０  予約管理サーバ
５１  予約情報ＤＢ
６０  インセンティブ条件管理サーバ
６１  インセンティブ条件ＤＢ
７１  端末
７２  端末
７３  端末
【図１】
2015050242.tif 000003
【図２】
2015050242.tif 000004
【図３】
2015050242.tif 000005
【図４】
2015050242.tif 000006
【図５】
2015050242.tif 000007
【図６】
2015050242.tif 000008
【図７】
2015050242.tif 000009
【図８】
2015050242.tif 000010
【図９】
2015050242.tif 000011
【図１０】
2015050242.tif 000012
【図１１】
2015050242.tif 000013
【図１２】
2015050242.tif 000014
【図１３】
2015050242.tif 000015
【図１４】
2015050242.tif 000016
【国際調査報告】
2015050242.tif 000017
2015050242.tif 000018
2015050242.tif 000019
2015050242.tif 000020